(57)【要約】【課題】プロジェクターに生じた異常に関する情報を容易にユーザーに通知することが可能なスクリーン装置、プロジェクター、プロジェクターシステム、及びプロジェクターの異常通知方法を提供する。【解決手段】光源装置の点灯に失敗したり、筐体の内部温度が著しく上昇したりする異常が発生すると、制御部は、異常の発生を検知し、異常に対処するための動作を必要に応じて行う。その後、制御部は、異常の発生をユーザーに報知するためにＬＥＤ報知部を赤色で点滅させるとともに、異常の内容を表す異常情報を記憶部に記憶する。その後、制御部は、ユーザーにより入力操作部の送信キーが操作されるのを待機し、送信キーが操作されると、制御部は、記憶部に記憶されている異常情報を送信部から送信する。一方、スクリーン装置の受信部は、プロジェクターから送信された異常情報等を受信し、制御部は、受信した異常情報を表示部に表示させる。【選択図】図６
2011034028.tif 000002
【特許請求の範囲】
【請求項１】
プロジェクターから投写される画像光を受光して表示するスクリーン装置であって、
前記プロジェクターで異常が検知された場合に、当該異常に関する情報を前記プロジェクターから受信する受信部と、
前記受信部で受信した前記情報を表示する表示部と、
を備えたことを特徴とするスクリーン装置。
【請求項２】
請求項１に記載のスクリーン装置であって、
前記表示部の表示内容を切り替えるための操作部をさらに備え、
前記受信部は、前記プロジェクターから前記異常に関する複数の情報を受信し、
前記表示部は、前記操作部に対する操作に応じて、前記複数の情報を順次表示することを特徴とするスクリーン装置。
【請求項３】
情報を受信する受信部、及び前記受信部で受信した前記情報を表示する表示部を備える外部のスクリーン装置に画像を投写するプロジェクターであって、
異常を検知する検知部と、
前記検知部で検知された前記異常に関する情報を前記スクリーン装置に送信し、当該情報を前記受信部に受信させて前記表示部に表示させる送信部と、
を備えたことを特徴とするプロジェクター。
【請求項４】
画像光を投写するプロジェクターと、前記プロジェクターから投写される前記画像光を受光して表示するスクリーン装置と、を備えたプロジェクターシステムであって、
前記プロジェクターは、
異常を検知する検知部と、
前記検知部で検知された前記異常に関する情報を前記スクリーン装置に送信する送信部と、
を備え、
前記スクリーン装置は、
前記プロジェクターから送信される前記情報を受信する受信部と、
前記受信部で受信した前記情報を表示する表示部と、
を備えたことを特徴とするプロジェクターシステム。
【請求項５】
情報を受信する受信部、及び前記受信部で受信した前記情報を表示する表示部を備える外部のスクリーン装置に画像を投写するプロジェクターの異常通知方法であって、
前記プロジェクターが、異常を検知する検知ステップと、
前記プロジェクターが、前記検知ステップで検知された前記異常に関する情報を前記スクリーン装置に送信する送信ステップと、
前記スクリーン装置が、前記プロジェクターから送信される前記情報を前記受信部で受信する受信ステップと、
前記スクリーン装置が、前記受信部で受信した前記情報を前記表示部に表示する表示ステップと、
を備えたことを特徴とするプロジェクターの異常通知方法。
【発明の詳細な説明】
【技術分野】
【０００１】
本発明は、プロジェクターから投写される画像光を受光して表示するスクリーン装置、画像光を投写するプロジェクター、プロジェクターシステム、及びプロジェクターの異常通知方法に関する。
【背景技術】
【０００２】
光源から射出された光を変調して画像を形成し、この画像をスクリーン等に投写するプロジェクターでは、何らかの異常が生じた場合に、メッセージを投写したり、ＬＥＤ等からなるインジケーターを点滅させたりして、異常が発生したことや、想定される原因等をユーザーに通知するようになっている。
【０００３】
また、特許文献１には、発生した異常（不具合）に関する情報をメモリーカードに記録する技術が提案されている。メモリーカードに記録された情報は、いつでも他の装置で読み出すことが可能であるため、このような技術を用いれば、異常の原因を究明したり、対策を講じたりする際の利便性が向上する。
【先行技術文献】
【特許文献】
【０００４】
【特許文献１】特開平５−２５０７６４号公報
【発明の概要】
【発明が解決しようとする課題】
【０００５】
しかしながら、光源に異常がある場合等のように、画像の投写が不能になった場合には、メッセージを投写することもできなくなるため、異常が生じたことをユーザーに知らせることが困難になる。また、天井等、高い位置にプロジェクターを設置した場合には、インジケーターが視認しづらくなるうえ、メモリーカードの着脱も容易ではない。このため、発生した異常に関する情報を容易にユーザーに通知できる技術が望まれている。
【課題を解決するための手段】
【０００６】
本発明は、上述の課題の少なくとも一部を解決するためになされたものであり、以下の形態又は適用例として実現することが可能である。
【０００７】
［適用例１］本適用例に係るスクリーン装置は、プロジェクターから投写される画像光を受光して表示するスクリーン装置であって、前記プロジェクターで異常が検知された場合に、当該異常に関する情報を前記プロジェクターから受信する受信部と、前記受信部で受信した前記情報を表示する表示部と、を備えたことを特徴とする。
【０００８】
このスクリーン装置によれば、プロジェクターで異常が検知された場合に、この異常に関する情報をプロジェクターから受信する受信部と、受信した情報を表示する表示部を備えているため、プロジェクターがメッセージを投写できない場合や、プロジェクターが高い位置に設置された場合等であっても、プロジェクターに発生した異常に関する情報を容易にユーザーに通知することが可能となる。
【０００９】
［適用例２］上記適用例に係るスクリーン装置において、前記表示部の表示内容を切り替えるための操作部をさらに備え、前記受信部は、前記プロジェクターから前記異常に関する複数の情報を受信し、前記表示部は、前記操作部に対する操作に応じて、前記複数の情報を順次表示することが望ましい。
【００１０】
このスクリーン装置によれば、受信部は、異常に関する複数の情報をプロジェクターから受信し、表示部は、操作部に対する操作に応じて、複数の情報を順次表示する。このため、表示部が一度に多くの情報を表示できない場合（例えば、サイズが小さい場合等）でも、多くの情報を通知することができる。
【００１１】
［適用例３］本適用例に係るプロジェクターは、情報を受信する受信部、及び前記受信部で受信した前記情報を表示する表示部を備える外部のスクリーン装置に画像を投写するプロジェクターであって、異常を検知する検知部と、前記検知部で検知された前記異常に関する情報を前記スクリーン装置に送信し、当該情報を前記受信部に受信させて前記表示部に表示させる送信部と、を備えたことを特徴とする。
【００１２】
このプロジェクターによれば、検知された異常に関する情報をスクリーン装置に送信して表示させるため、プロジェクターがメッセージを投写できない場合や、プロジェクターが高い位置に設置された場合等であっても、発生した異常に関する情報を容易にユーザーに通知することが可能となる。
【００１３】
［適用例４］本適用例に係るプロジェクターシステムは、画像光を投写するプロジェクターと、前記プロジェクターから投写される前記画像光を受光して表示するスクリーン装置と、を備えたプロジェクターシステムであって、前記プロジェクターは、異常を検知する検知部と、前記検知部で検知された前記異常に関する情報を前記スクリーン装置に送信する送信部と、を備え、前記スクリーン装置は、前記プロジェクターから送信される前記情報を受信する受信部と、前記受信部で受信した前記情報を表示する表示部と、を備えたことを特徴とする。
【００１４】
このプロジェクターシステムによれば、スクリーン装置が、プロジェクターで検知された異常に関する情報をプロジェクターから受信する受信部と、受信した情報を表示する表示部を備えているため、プロジェクターがメッセージを投写できない場合や、プロジェクターが高い位置に設置された場合等であっても、発生した異常に関する情報を容易にユーザーに通知することが可能となる。
【００１５】
［適用例５］本適用例に係るプロジェクターの異常通知方法は、情報を受信する受信部、及び前記受信部で受信した前記情報を表示する表示部を備える外部のスクリーン装置に画像を投写するプロジェクターの異常通知方法であって、前記プロジェクターが、異常を検知する検知ステップと、前記プロジェクターが、前記検知ステップで検知された前記異常に関する情報を前記スクリーン装置に送信する送信ステップと、前記スクリーン装置が、前記プロジェクターから送信される前記情報を前記受信部で受信する受信ステップと、前記スクリーン装置が、前記受信部で受信した前記情報を前記表示部に表示する表示ステップと、を備えたことを特徴とする。
【００１６】
このプロジェクターの異常通知方法によれば、検知された異常に関する情報をプロジェクターが送信し、この情報をスクリーン装置が受信して表示するため、プロジェクターがメッセージを投写できない場合や、プロジェクターが高い位置に設置された場合等であっても、発生した異常に関する情報を容易にユーザーに通知することが可能となる。
【図面の簡単な説明】
【００１７】
【図１】第１実施形態のプロジェクターシステムを示す斜視図。
【図２】第１実施形態のプロジェクターの斜視図。
【図３】第１実施形態のプロジェクターの概略構成を示すブロック図。
【図４】第１実施形態のスクリーン装置に備わる制御装置の正面図。
【図５】第１実施形態のスクリーン装置に備わる制御装置の概略構成を示すブロック図。
【図６】（ａ）、（ｂ）は、第１実施形態に係るプロジェクターシステムの異常発生時の動作を説明するためのフローチャート。
【図７】第２実施形態のスクリーン装置に備わる制御装置の概略構成を示すブロック図。
【図８】（ａ）、（ｂ）は、第２実施形態に係るプロジェクターシステムの異常発生時の動作を説明するためのフローチャート。
【発明を実施するための形態】
【００１８】
（第１実施形態）
以下、第１実施形態に係るプロジェクターシステムについて、図面を参照して説明する。
【００１９】
図１は、本実施形態のプロジェクターシステムを示す斜視図である。
図１に示すように、プロジェクターシステム１は、プロジェクター２と、スクリーン装置３とを備えて構成されている。プロジェクター２は、内蔵する光源装置から射出された光を画像情報に応じて変調して画像光を形成し、この画像光を投写レンズから外部に拡大投写する光学装置であり、スクリーン装置３は、プロジェクター２から投写された画像光を受光して、画像を表示する。また、プロジェクター２とスクリーン装置３とは、無線による通信が可能になっており、プロジェクター２に異常が生じた場合には、プロジェクター２は、異常の内容を表す情報（異常情報）等をスクリーン装置３に送信する。
【００２０】
図２は、プロジェクター２の斜視図である。
図２に示すように、プロジェクター２は、装置本体を収容する筐体１０を備えて構成されている。筐体１０の前面１０ｆには、投写レンズ２３の前面部を露出させるための開口部１１が形成されており、この投写レンズ２３から前方に向けて画像光が投写される。また、筐体１０の前面１０ｆには、スクリーン装置３に異常情報等を送信するための送信部４１が備えられている。
【００２１】
筐体１０の上面１０ｔには、ユーザーにより入力操作が行われる入力操作部３２と、プロジェクター２の動作状態を報知するためのＬＥＤ報知部４２とが配置されている。また、筐体１０の上面１０ｔには、光源装置２１（図３参照）を覆うランプカバー１２が備えられている。ランプカバー１２は、筐体１０に対して着脱自在になっており、光源装置２１が寿命に達したり、故障したりした際には、ユーザーは、ランプカバー１２を取り外して、光源装置２１の交換を行うことができる。
【００２２】
図１に戻って、スクリーン装置３は、スクリーン５０と、制御装置６０とを備えて構成されている。スクリーン５０は、プロジェクター２から投写された画像光を受光して表示する反射型スクリーンであり、制御装置６０は、スクリーン５０の周縁部の一角に固定されている。なお、スクリーン５０は、反射型に限られず、受光した面の反対側に画像を透過して表示する透過型スクリーンであってもよい。
【００２３】
図３は、プロジェクター２の概略構成を示すブロック図である。
図３に示すように、プロジェクター２は、画像投写部２０、制御部３０、記憶部３１、入力操作部３２、画像情報入力部３３、画像処理部３４、液晶駆動部３５、電源回路３６、光源制御部３７、カバー検出部３８、温度センサー３９、冷却ファン４０、送信部４１、ＬＥＤ報知部４２等で構成されている。
【００２４】
画像投写部２０は、光源装置２１、光変調装置としての３つの液晶ライトバルブ２２Ｒ，２２Ｇ，２２Ｂ、投写光学系としての投写レンズ２３等で構成されている。画像投写部２０は、表示部に相当するものであり、光源装置２１から射出された光を液晶ライトバルブ２２Ｒ，２２Ｇ，２２Ｂで変調して画像（画像光）を形成し、この画像を投写レンズ２３から拡大投写して、スクリーン装置３に表示する。
【００２５】
光源装置２１は、超高圧水銀ランプやメタルハライドランプ等からなる放電型の光源ランプ２１ａと、光源ランプ２１ａが放射した光を液晶ライトバルブ２２Ｒ，２２Ｇ，２２Ｂ側に反射するリフレクター２１ｂとを含んで構成されている。光源装置２１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２２Ｒ，２２Ｇ，２２Ｂに入射する。
【００２６】
液晶ライトバルブ２２Ｒ，２２Ｇ，２２Ｂは、一対の透明基板間に液晶が封入された液晶パネル等によって構成される。液晶ライトバルブ２２Ｒ，２２Ｇ，２２Ｂには、マトリクス状に配列された複数の画素が形成されており、液晶に対して画素毎に駆動電圧を印加可能になっている。そして、液晶駆動部３５の駆動により、入力される画像情報に応じた駆動電圧が各画素に印加されると、各画素は、画像情報に応じた光透過率に設定される。このため、光源装置２１から射出された光は、この液晶ライトバルブ２２Ｒ，２２Ｇ，２２Ｂを透過することによって変調され、画像情報に応じた画像光が色光毎に形成される。形成された各色の画像光は、図示しない色合成光学系によって画素毎に合成されてカラーの画像光となった後、投写レンズ２３から拡大投写される。
【００２７】
制御部３０は、ＣＰＵ（Central Processing Unit）や、各種データ等の一時記憶に用いられるＲＡＭ（Random Access Memory）等を備え、記憶部３１に記憶されている制御プログラムに従って動作することによりプロジェクター２の動作を統括制御する。つまり、制御部３０は、記憶部３１とともにコンピューターとして機能する。
【００２８】
記憶部３１は、フラッシュメモリーやＦｅＲＡＭ（Ferroelectric RAM：強誘電体メモリー）等、書き替え可能な不揮発性のメモリーにより構成されている。記憶部３１には、プロジェクター２の動作を制御するための制御プログラムや、プロジェクター２の動作条件等を規定する各種設定データ等が記憶されている。本実施形態の記憶部３１には、光源装置２１の累積点灯時間が、ランプ情報として記憶されるようになっている。累積点灯時間は、光源装置２１が交換された際にユーザーによって０にリセットされ、その後、プロジェクター２を利用するたびに、点灯させた時間が累積的に加算される。また、プロジェクター２に異常が生じた場合には、制御部３０は、その異常の内容を表す情報（異常情報）を記憶部３１に記憶させるようになっている。
【００２９】
入力操作部３２は、ユーザーによる入力操作を受け付けるものであり、ユーザーがプロジェクター２に対して各種指示を行うための複数の操作キーを備えている。入力操作部３２が備える操作キーとしては、電源のオンとオフとを切り替えるための電源キーや、各種設定用の設定メニューを表示させるメニューキー、異常情報の送信を指示するための送信キー等がある。ユーザーが入力操作部３２の各種操作キーを操作すると、入力操作部３２は、ユーザーの操作内容に応じた操作信号を制御部３０に出力する。なお、入力操作部３２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部３０に伝達する。
【００３０】
画像情報入力部３３は、図示しない入力端子を備えており、この入力端子には、各種映像再生装置やパーソナルコンピューター等、外部の画像出力装置から画像情報が入力される。画像情報入力部３３は、入力された画像情報を画像処理部３４に出力する。なお、画像情報入力部３３は、外部から画像情報が入力される態様に限られず、記録媒体等に記録されている画像情報を再生する態様であってもよい。
【００３１】
画像処理部３４は、画像情報入力部３３から入力される画像情報を、液晶ライトバルブ２２Ｒ，２２Ｇ，２２Ｂの各画素の階調を表す画像情報に変換する。ここで、変換された画像情報は、Ｒ，Ｇ，Ｂの色光別になっており、各液晶ライトバルブ２２Ｒ，２２Ｇ，２２Ｂのすべての画素に対応する複数の画素値によって構成されている。画素値とは、対応する画素の光透過率を定めるものであり、この画素値によって、各画素から射出する光の強弱（階調）が規定される。さらに、画像処理部３４は、制御部３０の指示に基づいて、変換した画像情報に対して、明るさ、コントラスト、シャープネス、色合い等を調整するための画質調整処理や、投写する画像上に設定メニューやメッセージ等を重畳表示させるためのＯＳＤ（オンスクリーンディスプレー）処理等を必要に応じて行い、処理後の画像情報を液晶駆動部３５に出力する。
【００３２】
液晶駆動部３５は、画像処理部３４から入力される画像情報に従って液晶ライトバルブ２２Ｒ，２２Ｇ，２２Ｂを駆動し、液晶ライトバルブ２２Ｒ，２２Ｇ，２２Ｂに、画像情報に応じた画像光を形成させる。これにより、画像情報に基づく画像光が投写レンズ２３からスクリーン装置３のスクリーン５０に投写される。
【００３３】
電源回路３６には、外部からＡＣ１００Ｖ等の商用電源が供給される。電源回路３６は、交流電源である商用電源を所定の電圧の直流電源に変換し、光源制御部３７を始めとするプロジェクター２の各部に電力を供給する。なお、制御部３０は、電源回路３６から電力の供給を受けて動作している間、電源回路３６に指示をして、画像光の投写に必要な電力（動作電力）を各部に供給する状態（「オン状態」とも呼ぶ。）と、各部への動作電力の供給を停止させた状態（「スタンバイ状態」或いは「オフ状態」とも呼ぶ。）とを切り替えることができる。
【００３４】
光源制御部３７は、制御部３０の指示に基づいて、光源装置２１に対する電力の供給を制御し、光源装置２１の点灯及び消灯を切り替える。また、光源制御部３７には、光源装置２１の点灯状態（点灯しているか否か）を検出する点灯検出部３７ａが備えられている。点灯検出部３７ａは、光源ランプ２１ａが消費する電流（光源電流）に基づいて点灯状態を検出し、検出結果を制御部３０に出力する。なお、点灯状態を検出するための手段は、これに限定されず、例えば、光センサーによって検出してもよいし、光源ランプ２１ａの温度に基づいて点灯状態を検出するようにしてもよい。
【００３５】
光源装置２１を点灯させる場合には、制御部３０は、光源制御部３７に指示をして点灯を開始させる動作（始動動作）を行わせた後に、点灯検出部３７ａに点灯状態を検出させる。そして、この結果、光源装置２１が点灯しなかった場合には、制御部３０は、光源制御部３７に指示をして、再度始動動作を行わせ、これを点灯するまで繰り返す。そして、始動動作を所定の回数繰り返しても光源装置２１が点灯しない場合には、光源制御部３７は、それ以上の始動動作を行わない。なお、本明細書では、始動動作を所定の回数繰り返しても点灯しなかった場合のことを「（点灯）失敗」と呼び、所定の回数以内で点灯した場合のことを「（点灯）成功」と呼ぶ。
【００３６】
カバー検出部３８は、ランプカバー１２の開閉状態を検出し、検出結果を制御部３０に出力する。カバー検出部３８は、例えば、ランプカバー１２を装着した際に押圧されてオンとなり、ランプカバー１２を取り外した際に押圧から解放されてオフとなる押圧スイッチを用いて構成することができる。また、光センサーや磁気センサー等を用いてカバー検出部３８を構成するようにしてもよい。
【００３７】
温度センサー３９は、例えば、サーミスター等によって構成され、筐体１０の内部の温度を検出し、検出結果を制御部３０に出力する。この温度センサー３９は、光源装置２１、液晶ライトバルブ２２Ｒ，２２Ｇ，２２Ｂ等のように、熱を発する部位や熱によるダメージを受けやすい部位に配置される。また、筐体１０の内部の温度を直接検出する代わりに、図示しない排気口から排出される空気の温度を検出すること等により、筐体１０の内部の温度を間接的に検出するようにしてもよい。
【００３８】
冷却ファン４０は、例えば、軸流ファンやシロッコファン等によって構成される。冷却ファン４０は、制御部３０の制御に基づいて回転することにより、吸気口（図示せず）から外部の空気を吸入して筐体１０の内部を冷却し、冷却後の空気を排気口（図示せず）から外部に排出する。なお、冷却ファン４０は、複数のファンによって構成されてもよく、例えば、吸気口の近傍に配置されるファン（吸気ファン）と、排気口の近傍に配置されるファン（排気ファン）とを含んで構成されてもよい。
【００３９】
送信部４１は、上述した異常情報を無線通信によってスクリーン装置３に送信する。なお、無線通信としては、赤外線等を利用した光通信であってもよいし、無線ＬＡＮやＢｌｕｅｔｏｏｔｈ（登録商標）等、電波を用いた無線通信であってもよい。
【００４０】
ＬＥＤ報知部４２は、ＬＥＤ（発光ダイオード）を備えたインジケーターであり、制御部３０の指示に基づいてその表示状態を切り替えることにより、ユーザーにプロジェクター２の動作状態（電源のオン・オフや異常発生等）を報知する。なお、ＬＥＤ報知部４２は、その表示状態、即ち点灯、点滅、消灯、発光色等を適宜切り替えることによって、多数の動作状態を表すことができる。
【００４１】
次に、スクリーン装置３に備わる制御装置６０について説明する。
図４は、制御装置６０の正面図であり、図５は、制御装置６０の概略構成を示すブロック図である。
図４及び図５に示すように、制御装置６０は、制御部６１と、記憶部６２と、受信部６３と、表示部６４と、操作部６５とを備えて構成されている。制御装置６０は、筐体７０で覆われた構成を有しており、受信部６３と、表示部６４と、操作部６５は、筐体７０の正面（スクリーン５０の受光面と同一方向を向いた面）側から露出している。
【００４２】
制御部６１は、ＣＰＵやＲＡＭ等を備え、記憶部６２に記憶されている制御プログラムに従って動作することにより制御装置６０の動作を統括制御する。つまり、制御部６１は、記憶部６２とともにコンピューターとして機能する。
【００４３】
記憶部６２は、フラッシュメモリーやＦｅＲＡＭ等、書き替え可能な不揮発性のメモリーにより構成されている。記憶部６２には、制御装置６０の動作を制御するための制御プログラムや、各種設定データ等が記憶されている。
【００４４】
受信部６３は、プロジェクター２の送信部４１から無線通信によって送信される異常情報等を受信して、制御部６１に出力する。
【００４５】
表示部６４は、例えば、液晶表示装置等で構成され、制御部６１の指示に基づく画像を表示する。具体的には、表示部６４は、制御部６１の指示に基づいて、受信部６３で受信した異常情報等の表示を行う。
【００４６】
操作部６５は、ユーザーによる入力操作を受け付けるものであり、表示部６４に表示される内容を切り替えるための表示切替キー６５ａを備えている。ユーザーが表示切替キー６５ａを操作すると、操作部６５は、この操作を受け付けて、制御部６１に操作信号を出力する。制御部６１は、操作部６５から操作信号が入力されると、表示部６４に指示をして、表示内容の切り替えを実行する。
【００４７】
なお、図示は省略しているが、制御装置６０には、商用電源又は電池を電源とする電源回路が備えられており、制御装置６０は、この電源回路から供給される電力によって動作する。
【００４８】
次に、プロジェクターシステム１の動作について説明する。
プロジェクター２に商用電源が供給された後、ユーザーにより電源キーが操作されると、プロジェクター２はオン状態となり、制御部３０は、光源制御部３７に指示をして光源装置２１を点灯させ、画像の投写を開始する。また、制御部３０は、冷却ファン４０を始動させるとともに、温度センサー３９の検出結果に基づいて冷却ファン４０の回転速度を制御し、筐体１０の内部の温度上昇を抑制する。
【００４９】
図６（ａ）、（ｂ）は、プロジェクターシステム１の異常発生時の動作を説明するためのフローチャートであり、（ａ）は、プロジェクター２の動作、（ｂ）は、スクリーン装置３の動作を示している。プロジェクター２の起動時又は起動後において、プロジェクター２に何らかの異常が生じると、プロジェクターシステム１は、図６に示すフローに従って動作する。
【００５０】
図６（ａ）に示すように、例えば、光源装置２１の点灯に失敗したり、筐体１０の内部温度が著しく上昇したりする異常が発生すると、制御部３０は、異常の発生を検知し（ステップＳ１０１）、異常に対処するための動作（例えば、光源装置２１の消灯や、スタンバイ状態への移行等）を必要に応じて行う。その後、制御部３０は、異常の発生をユーザーに報知するためにＬＥＤ報知部４２を赤色で点滅させるとともに（ステップＳ１０２）、異常の内容を表す異常情報を記憶部３１に記憶する（ステップＳ１０３）。
【００５１】
例えば、光源制御部３７に光源装置２１の点灯を行わせる際、制御部３０は、点灯検出部３７ａの検出結果に基づいて、点灯が成功したのか失敗したのかを判断（検知）し、点灯失敗の場合には、ＬＥＤ報知部４２を赤色で点滅させた後で、点灯が失敗した旨の異常情報を記憶部３１に記憶する。また、冷却ファン４０を高速で回転させているにも拘らず、筐体１０の内部温度が低下しない異常が生じた場合には、制御部３０は、温度センサー３９の検出結果（検出温度）に基づいてこの異常を検知する。そして、光源制御部３７に光源装置２１を消灯させ、ＬＥＤ報知部４２を赤色で点滅させた後に、高温異常が発生した旨の異常情報を記憶部３１に記憶する。また、制御部３０は、カバー検出部３８の検出結果に基づいて、ランプカバー１２が開放したことを検知した場合には、光源制御部３７に光源装置２１を消灯させ、ＬＥＤ報知部４２を赤色で点滅させた後に、ランプカバー１２が開放した旨の異常情報を記憶部３１に記憶する。なお、異常情報としては、異常の内容が識別できるものであればよく、例えば、アルファベットや数字等からなる識別コードを用いることができる。
【００５２】
その後、制御部３０は、ユーザーにより入力操作部３２の送信キーが操作されたか否かを判断し（ステップＳ１０４）、送信キーが操作されるまで本ステップを繰り返す（ステップＳ１０４；Ｎｏ）。そして、入力操作部３２が送信キーの操作を受け付けた場合（ステップＳ１０４；Ｙｅｓ）には、制御部３０は、記憶部３１に記憶されている異常情報を送信部４１から送信し（ステップＳ１０５）、フローを終了する。なお、異常の内容が、光源装置２１の点灯失敗である場合には、制御部３０は、異常情報とともに、ランプ情報（累積点灯時間）を送信部４１から送信する。また、複数の異常が検出された場合には、制御部３０は、複数の異常情報を送信部４１から送信する。
【００５３】
図６（ｂ）に示すように、スクリーン装置３の受信部６３は、プロジェクター２から送信された異常情報等を受信し（ステップＳ１１１）、制御部６１は、受信した異常情報を記憶部６２に記憶するとともに、この異常情報を表示部６４に表示させて（ステップＳ１１２）、フローを終了する。なお、プロジェクター２から複数の情報（異常情報とランプ情報、或いは、複数の異常情報）が送信された場合には、制御部６１は、そのうちの１つの情報のみを表示部６４に表示する。そして、ユーザーによって操作部６５の表示切替キー６５ａが操作された場合に、表示する情報を切り替える。つまり、制御部６１は、表示切替キー６５ａの操作に応じて、複数の情報を順次表示部６４に表示する。また、プロジェクター２から１つの情報のみが送信された場合には、表示切替キー６５ａの操作は無視される。
【００５４】
以上説明したように、本実施形態のプロジェクターシステム１によれば、以下の効果を得ることができる。
【００５５】
（１）本実施形態のプロジェクターシステム１によれば、スクリーン装置３の制御装置６０は、プロジェクター２から送信される異常情報を受信部６３で受信し、表示部６４に表示する。このため、光源装置２１が消灯していてプロジェクター２がメッセージを投写できない場合や、プロジェクター２が高い位置に設置された場合等であっても、発生した異常の内容を容易にユーザーに通知することが可能となる。
【００５６】
（２）本実施形態のプロジェクターシステム１によれば、スクリーン装置３の制御装置６０は、複数の情報をプロジェクター２から受信した場合には、操作部６５（表示切替キー６５ａ）に対する操作に応じて、これら複数の情報を順次表示部６４に表示するため、表示部６４が一度に多くの情報を表示できない場合（例えば、サイズが小さい場合等）でも、多くの情報をユーザーに通知することができる。
【００５７】
（３）本実施形態のプロジェクターシステム１によれば、発生した異常の内容が、光源装置２１の点灯失敗である場合には、制御部３０は、異常情報とともに、ランプ情報（累積点灯時間）を送信するようにしている。このため、ユーザーは、点灯失敗の原因を判断する際に、光源ランプ２１ａの寿命に依るものであるのか否かを検討することが容易になる。
【００５８】
なお、本実施形態では、点灯検出部３７ａ、温度センサー３９、及びカバー検出部３８の検出結果等に基づいて異常の発生を検知する制御部３０が検知部に相当する。また、異常情報及びランプ情報が、異常に関する情報に相当する。
【００５９】
（第２実施形態）
以下、第２実施形態に係るプロジェクターシステムについて、図面を参照して説明する。
【００６０】
図７は、第２実施形態のスクリーン装置３に備わる制御装置６０の概略構成を示すブロック図である。
図７に示すように、本実施形態の制御装置６０は、制御部６１の指示に基づいてその表示状態を切り替えるＬＥＤ報知部６６を備えており、スクリーン装置３側でも動作状態等の報知が可能になっている。それ以外のスクリーン装置３の構成、及びプロジェクター２の構成については、第１実施形態と同一である。
【００６１】
図８（ａ）、（ｂ）は、本実施形態に係るプロジェクターシステム１の異常発生時の動作を説明するためのフローチャートであり、（ａ）は、プロジェクター２の動作、（ｂ）は、スクリーン装置３の動作を示している。プロジェクター２の起動時又は起動後において、プロジェクター２に何らかの異常が生じると、プロジェクターシステム１は、図８に示すフローに従って動作する。
【００６２】
図８（ａ）に示すように、プロジェクター２に異常が発生すると、制御部３０は、異常の発生を検知し（ステップＳ２０１）、異常に対処するための動作（例えば、光源装置２１の消灯や、スタンバイ状態への移行等）を必要に応じて行う。その後、制御部３０は、異常の発生をユーザーに報知するためにＬＥＤ報知部４２を赤色で点滅させる（ステップＳ２０２）。そして、制御部３０は、異常の内容を表す異常情報を記憶部３１に記憶するとともに（ステップＳ２０３）、この異常情報を送信部４１から送信して（ステップＳ２０４）、フローを終了する。このように、本実施形態では、異常が発生すると、送信キーの操作を待たずに異常情報を送信するようにしている。
【００６３】
図８（ｂ）に示すように、スクリーン装置３の受信部６３は、プロジェクター２から送信された異常情報等を受信し（ステップＳ２１１）、制御部６１は、受信した異常情報を記憶部６２に記憶する。そして、制御部６１は、異常の発生をユーザーに報知するためにＬＥＤ報知部６６を赤色で点滅させるとともに（ステップＳ２１２）、受信した異常情報を表示部６４に表示させて（ステップＳ２１３）、フローを終了する。
【００６４】
以上説明したように、本実施形態のプロジェクターシステム１によれば、第１実施形態の効果に加えて、以下の効果を得ることができる。
【００６５】
（１）本実施形態のプロジェクターシステム１によれば、プロジェクター２に異常が生じた場合に、プロジェクター２は、ユーザーのキー操作（送信キーの操作）を待たずに異常情報を送信するため、異常情報を即座に表示部６４に表示させることができる。
【００６６】
（２）本実施形態のプロジェクターシステム１によれば、異常が生じた際に、スクリーン装置３（制御装置６０）のＬＥＤ報知部６６も点滅させるようにしているため、異常の発生を効果的に報知することが可能となる。
【００６７】
なお、表示部６４がバックライトを備えている場合には、ＬＥＤ報知部６６を点滅させる代わりにバックライトを点滅させてもよい。
【００６８】
（変形例）
また、上記実施形態は、以下のように変更してもよい。
【００６９】
上記実施形態において、プロジェクター２は、発生した異常の異常情報を、日時情報等とともに累積的に記憶部３１に記憶するようにして、これらの異常情報をまとめて送信するようにしてもよい。そして、これを受信したスクリーン装置３では、表示切替キー６５ａが操作される度に、複数の異常情報を順次表示部６４に表示すればよい。
【００７０】
上記実施形態では、プロジェクター２から複数の情報が送信された場合には、表示切替キー６５ａの操作に応じて、複数の情報を順次表示部６４に表示させているが、表示切替キー６５ａの操作を待つことなく、所定の時間間隔で切り替えるようにしてもよいし、複数の情報をスクロールして表示するようにしてもよい。
【００７１】
上記実施形態において、表示部６４は、液晶表示装置に限られず、有機ＥＬ（Electro Luminescence）表示装置、ＬＥＤを用いた表示装置、或いは電子ペーパー等、他の表示装置を利用してもよい。
【００７２】
上記実施形態では、光変調装置として３つの液晶ライトバルブ２２Ｒ，２２Ｇ，２２Ｂを用いた３板式のプロジェクター２について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７３】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７４】
上記実施形態では、光源装置２１は、放電型の光源ランプ２１ａによって構成されているが、ＬＥＤ光源等の固体光源や、その他の光源を用いることもできる。
【符号の説明】
【００７５】
１…プロジェクターシステム、２…プロジェクター、３…スクリーン装置、１０…筐体、１１…開口部、１２…ランプカバー、２０…画像投写部、２１…光源装置、２１ａ…光源ランプ、２１ｂ…リフレクター、２２Ｒ，２２Ｇ，２２Ｂ…液晶ライトバルブ、２３…投写レンズ、３０…制御部、３１…記憶部、３２…入力操作部、３３…画像情報入力部、３４…画像処理部、３５…液晶駆動部、３６…電源回路、３７…光源制御部、３７ａ…点灯検出部、３８…カバー検出部、３９…温度センサー、４０…冷却ファン、４１…送信部、４２…ＬＥＤ報知部、５０…スクリーン、６０…制御装置、６１…制御部、６２…記憶部、６３…受信部、６４…表示部、６５…操作部、６５ａ…表示切替キー、６６…ＬＥＤ報知部、７０…筐体。
【図１】
2011034028.tif 000003
【図２】
2011034028.tif 000004
【図３】
2011034028.tif 000005
【図４】
2011034028.tif 000006
【図５】
2011034028.tif 000007
【図６】
2011034028.tif 000008
【図７】
2011034028.tif 000009
【図８】
2011034028.tif 000010